(57)【特許請求の範囲】
【請求項１】
電解生成殺菌水をテッシュペーパーなどの薄様紙あるいはガーゼなどの薄布体に含浸させる電解生成殺菌水含浸容器であって、
絶縁体と対向電解電極とで箱体に形成し、当該箱体内に電解質を収容するとともに一方の電極を多孔質で構成してなる電解質収容部と、
前記両電解電極に電力を供給する電解電源を収容する電源収容部とを一体化してなる電解水供給箱と、
前記薄様紙あるいは薄布体を重ねた状態で収納でき、かつ、当該重ねた薄様紙や薄布体の一方平面側を常時多孔質電極側に付勢できる付勢機構を設けた含浸体収納箱と、
を備えてなることを特徴とする電解生成殺菌水含浸容器。
【請求項２】
前記電解水供給箱と前記含浸体収納箱とは、前記電解水供給箱の多孔質電極が前記含浸体収納箱側に向けて両箱体の一方のかどで蝶着し、かつ前記かどに対向するかどに係止機構を設けて両箱を一体化可能にし、かつ、前記係止機構の係止を解いて両箱を開くことにより薄様紙あるいは薄布体を取り出し可能にしたことを特徴とする請求項１記載の電解生成殺菌水含浸容器。
【請求項３】
前記電解水供給箱と前記含浸体収納箱とは、前記電解水供給箱の多孔質電極側を前記含浸体収納箱側に向けた状態で脱着可能に構成したことを特徴とする請求項１記載の電解生成殺菌水含浸容器。
【請求項４】
前記電解水供給箱の多孔質電極は、網目あるいは径が０．２ミリメートルから０．５ミリメートルのメッシュのステンレス板あるいは同径のチタン板に白金とイリジウムを焼成してなる板からなることを特徴とする請求項１記載の電解生成殺菌水含浸容器。
【請求項５】
前記含浸体収納箱の付勢機構は、前記薄様紙あるいは薄布体を重ねた状態で収納できる箱体の底部に弾性体を設け、この弾性体の上に薄様紙あるいは薄布体の平面を有効に押圧できる押圧板を設けたことを特徴とする請求項１記載の電解生成殺菌水含浸容器。
【請求項６】
前記電解水供給箱の多孔質電極には、所定時間間隔で通電するようにしたことを特徴とする請求項１記載の電解生成殺菌水含浸容器。
【発明の詳細な説明】
【０００１】
【発明の属する技術分野】
本発明は、電解生成殺菌水を含浸させた携帯性ウエットタイプテッシュペーパーに関するものである。さらに詳細には、本発明は、収納容器に収納してあるテッシュペーパーなどの薄様紙あるいはガーゼなどの薄布体に常時生成中の電解生成殺菌水を含浸させることができる電解生成殺菌水含浸容器に関するものである。
【０００２】
【従来の技術】
この種の電解生成殺菌水は、原水に水溶性の電離性無機物質を添加し、これを電気分解することにより得られる酸性水であって、水素イオン指数（ｐＨ）が１．５以上３．１以下でかつ特定の電気伝導値をもった酸性水としたものであり、殺菌作用を奏する強酸性殺菌水として知られている（特許第２６２６７７８号公報参照）。
【０００３】
このような電解生成殺菌水を利用して各種の応用製品が提案されている。
例えば、電解生成殺菌水を含浸させてなるウエット・テッシュペーパーが提案されている。このウエット・テッシュペーパーは、特殊ポリエステル長繊維不織布を漏水しない袋に入れ、強酸性電解水を一定量注入して封止したものである。このウエット・テッシュペーパーを使用するときには、当該袋の封止を解き、当該袋からテッシュペーパーを取り出して、払拭部位を拭うことになる。
【０００４】
【発明が解決しようとする課題】
しかしながら、かかる従来のウエット・テッシュペーパーは、
（１）強酸性電解水の性質を長時間保つためには、密閉した冷暗状態で保存することが望ましいが、携帯した場合には、冷暗状態を維持することができない、
（２）また、密閉状態を維持するため、開封部を一時的吸着物質を配置することがあるが、強酸性電解水は、酸性状態を示すことから、吸着剤と化学反応を起こして密閉を維持することができないこと、
（３）特殊ポリエステル長繊維不織布を使用しているため、一般に、高価なこと、
などの欠点があった。
【０００５】
本発明は、上述した欠点を解消し、常時生成される強酸性電解水を薄様紙や薄布体に含浸させることができるとともに、長時間の使用にも耐え、かつ、安価に強酸性電解水含浸体を供給できる電解生成殺菌水含浸容器を提供することを目的としている。
【０００６】
【課題を解決するための手段】
上記目的を達成するために、本発明の電解生成殺菌水含浸容器は、電解生成殺菌水を、テッシュペーパーなどの薄様紙あるいはガーゼなどの薄布体に含浸させることができる電解生成殺菌水含浸容器であって、
絶縁物と対向電解電極とで箱体に形成し当該箱体内に電解質を収容するとともに一方の電極を多孔質で構成してなる電解質収容部と前記両電解電極に電力を供給する電解電源を収容する電源収容部とを一体化してなる電解水供給箱と、前記薄様紙あるいは薄布体を重ねた状態で収納できかつ当該重ねた薄様紙や薄布体の一方平面側を常時多孔質電極側に付勢できる付勢機構を設けた含浸体収納箱とを備えてなることを特徴とするものである。
本発明の電解生成殺菌水含浸容器によれば、常時、電解水供給箱から含浸体収納箱に収納された薄様紙や薄布体に電解生成殺菌水が供給されるため、電解生成殺菌水の効果が長時間継続されることになり、さらに、薄様紙や薄布体を使用しているので、電解生成殺菌水を含浸したテッシュペーパー、ウエットガーゼ等を安価に提供できる。
本発明では、前記電解水供給箱と前記含浸体収納箱とは、前記電解水供給箱の多孔質電極が前記含浸体収納箱側に向けて両箱体の一方のかどで蝶着し、かつ前記かどに対向するかどに係止機構を設けて両箱を一体化可能にし、かつ、前記係止機構の係止を解いて両箱を開くことにより薄様紙あるいは薄布体を取り出し可能にしたことを特徴とするものである。
本発明では、前記電解水供給箱と前記含浸体収納箱とは、前記電解水供給箱の多孔質電極側を前記含浸体収納箱側に向けた状態で脱着可能に構成したことを特徴とするものである。
本発明では、前記電解水供給箱の多孔質電極は、網目あるいは径が０．２ミリメートルから０．５ミリメートルのメッシュのステンレス板あるいは同径のチタン板に白金とイリジウムを焼成してなる板からなることを特徴とするものである。
本発明では、前記含浸体収納箱の付勢機構は、前記薄様紙あるいは薄布体を重ねた状態で収納できる箱体の底部に弾性体を設け、この弾性体の上に薄様紙あるいは薄布体の平面を有効に押圧できる押圧板を設けたことを特徴とするものである。
【０００７】
【発明の実施の形態】
以下、本発明の実施の形態について図面を参照して説明する。
図１ないし図３は本発明の実施の形態を説明する図である。ここで、図１は同実施の形態に係る電解生成殺菌水含浸容器を示す斜視図である。図２は同電解生成殺菌水含浸容器を示す断面図である。図３は同電解生成殺菌水含浸容器の使用状態を説明するための図である。
【０００８】
こられの図において、電解生成殺菌水含浸容器１は、電解生成殺菌水を、テッシュペーパーなどの薄様紙あるいはガーゼなどの薄布体に含浸させ、常時、効力の衰えない電解生成殺菌水含浸体を提供できる機器である。
この電解生成殺菌水含浸容器１は、大別すると、電解水供給箱３と、含浸体収納箱５とから構成されている。
【０００９】
上記電解水供給箱３は、また、箱状の電解質収容部３１と、同様の電源収容部３２とを一体化して長方形状に形成されている。
電解質収容部３１は、電解電極３３，３４を例えばプラスチック等の素材からなる絶縁物３５でもって対向するように支持し、電解電極３３，３４と絶縁物３５とで箱体３６に形成している。この箱体３６には、袋詰めされた電解質３７が収容できるようになっている。なお、図示しないが、箱体３６は開閉口が設けられており、袋詰めされた電解質３７の交換ができるようになっている。また、電解電極３３は、ステンレス板を使用している。前記電解電極３４は多孔質電極で構成したものであって、この多孔質電極は網目あるいは径が０．２ミリメートルから０．５ミリメートルのメッシュのステンレス板か、あるいは同径のチタン板に白金とイリジウムを焼成してなる板を使用することが好適である。
【００１０】
また、電源収容部３２は、プラスチック等の素材で箱状に、かつ、電解質収容部３１と一体に形成されており、乾電池や二次電池等の電解電源３８を収納できるようになっている。また、電源収容部３２には、図示しないが開閉口が設けられており、電解電源３８を交換できるようになっている。なお、図示しないが、電解電源３８のマイナス極は電解電極３３に、同電解電源３８のプラス極は電解電極３４に、それぞれ接続されており、電解電極３３，３４に電力を供給できるようにしてある。本実施の形態では、常時電力供給をするようにしたが、省電力により長時間保持させるには、所定の時間間隔で、例えば、陽極側酸性ｐＨ値を計測して、この計測結果に基づいて、ｐＨ値が一定値以上になったときのみ通電するようにしても良い。
【００１１】
なお、電解質３７は、例えば約３〜５〔パーセント〕の食塩溶液に、活性炭（または炭酸カルシウムなど）と、パウダーとを調合して袋詰めにしたものであり、使用時には電解がされるようになっている。
【００１２】
前記含浸体収納箱５は、直方体形に構成されていて一方の面が開放し他の５面が例えばプラスチック等の素材で構成された箱体５１からなり、この箱体５１の図示底側に付勢機構５２が設けられている。この箱体５１には、テッシュペーパー５３を重ねた状態で収納できることになる。
【００１３】
前記付勢機構５２は、この箱体５１の底部に弾性体、例えばスプリング性薄い板５４を固定し、このスプリング性薄い板５４の図示上側に箱体５１の底の面積よりやや小さな面積の押圧板５５を固定してなるものである。この付勢機構５２のスプリング性薄い板５４に固定した押圧板５５でテッシュペーパーの底平面を有効に押圧できる。
【００１４】
すなわち、この付勢機構５１は、当該箱体５１の内部に、重ねられて収納されたテッシュペーパー５３の一方平面（図示上側平面）側を常時電解水供給箱３の多孔質電解電極３４（図示上方）側に付勢できることになる。また、電解水供給箱３と、含浸体収納箱５とは、電解水供給箱３の多孔質電解電極３４が含浸体収納箱５側に向けて両箱３，５の一方のかど７１で蝶番７２で開閉可能に蝶着されている。また、前記かど７１に対向するかど７３に係止機構７４を設けて両箱３，５を一体化可能にしている。また、前記係止機構７４の係止を解いて両箱３，５を開くことによりテッシュペーパー５３を取り出すことができる。
【００１５】
このような電解生成殺菌水含浸容器１の作用を説明する。
電解質収容部３１の電解電極３３，３４には、電解電極３３側にマイナス電位が、電解電極３４側にプラス電位が、電源収容部３２の電解電源３８から供給されている。この電解電極３３，３４の間に収納されている電解質３７は、上記電位で電解され、プラス電位の電解電極３３にはアルカリ水が生成され、マイナス電位の多孔質電解電極３４には強酸性電解生成水（電解生成殺菌水）が生成される。
【００１６】
この電解電極３４で生成された電解生成殺菌水は、電解電極３４の多孔を通過してテッシュペーパー５３に供給されて含浸される。このとき、テッシュペーパー５３は付勢機構５２により図示下側から上側に押されているので、図示一番上側のテッシュペーパー５３が電解水供給箱３の多孔質電解電極３４に常に押圧されている。
【００１７】
テッシュペーパー５３を取り出す場合には、電解生成殺菌水含浸容器１の係止機構７４の押しバタン７４ａを操作して係止を解除し、図３に示すように電解水供給箱３を蝶番７２を回転中心として開けることより（Ｓａ）、テッシュペーパー５３を取り出すことができる（Ｓｂ）。
【００１８】
このような電解生成殺菌水含浸容器１であるので、
（１）電解生成殺菌水が常時生成された状態でテッシュペーパー５３に供給されるため、電解生成殺菌水の効果が長時間持続し、殺菌作用を有するテッシュペーパー５３を常時得ることができ、
（２）テッシュペーパー５３であるので、使用後の処理が容易であり、
（３）テッシュペーパー５３であるので、安価に提供できる。
【００１９】
図４および図５は本発明の他の実施の形態を説明するものであり、図４は同他の実施の形態における斜視図であり、図５は同他の実施の形態の係止状態を説明するための図である。
【００２０】
この他の実施の形態に係る電解生成殺菌水含浸容器１ａは、上記電解生成殺菌水含浸容器１と係止機構の部分が異なるのみであって、他の構成は全て同一である。したがって、異なる部分のみ説明する。前記電解水供給箱３の電解電極３４側の両側面には係止爪４１，４１，４１，４１が設けられている。また、前記含浸体収納箱５の開口面の両側には、前記係止爪４１，４１，４１，４１が収納される係止溝４２，４２，４２，４２が設けられている。
【００２１】
前記電解水供給箱３の係止爪４１，４１，４１，４１を、含浸体収納箱５の係止溝４２，４２，４２，４２に挿入し（図５（ａ）参照、矢印Ｄ側に挿入）、ついで、電解水供給箱３を図５の矢印Ｗ方向に移動させることにより、前記電解水供給箱３の多孔質電極３４側を前記含浸体収納箱５側に向けた状態で固定することができる（図５（ｂ）参照）。
【００２２】
また、開放するときには、図５（ｂ）の状態にある電解生成殺菌水含浸容器１ａの電解水供給箱３を、図５（ａ）の矢印Ｘ方向に移動させ、ついで図５（ａ）の矢印Ｕ方向に持ち上げることにより、テッシュペーパー５３を取り出すことができる。
【００２３】
このような電解生成殺菌水含浸容器１ａによれば、上記実施の形態と同様な効果がある。
なお、上記各実施の形態では、テッシュペーパー５３を含浸体収納箱５に収納したが、テッシュペーパー５３に代えて薄様紙を使用してもよい。
また、テッシュペーパー５３に代えてガーゼ等の薄布体を使用してもよい。この場合には、使用後の薄布体を水洗トイレ等に流すことができないが、医療機関等の使用に利用することができる。
【００２４】
（実施例）
上記電解生成殺菌水含浸容器１、１ａは、長さＬが１４５〜１５０〔ミリメートル〕、高さＨが３５〜４０〔ミリメートル〕、幅Ｗが８０〜９０〔ミリメートル〕に構成する。
【００２５】
また、電解電極３３，３４は、長さＬが１２０〔ミリメートル〕程度、幅Ｗが７５〔ミリメートル〕程度、厚さｄが０．５〔ミリメートル〕程度のものを使用すればよい。
さらに、電解電源３８には、９〔ボルト〕のマンガン乾電池、あるいは、６〔ボルト〕のリチウム電池等の二次電池を使用すればよい。
この実施例によれば、上述したように小さな形状に形成できるので、携帯が可能となり、外出先でも容易に電解生成殺菌水が含浸したウエット・テッシュペーパーをえることができ、使い勝手がよい。
【００２６】
【発明の効果】
以上説明したように本願発明に係る電解生成殺菌水含浸容器によれば、次のような効果を奏する。
（１）電解生成殺菌水が常時生成された状態でテッシュペーパー等の薄様紙や薄布体に供給されるため、電解生成殺菌水の効果が長時間持続し、殺菌作用を有する電解生成殺菌水が含浸された薄様紙や薄布体からなる含浸体を常時得ることができる。
（２）薄様紙を使用しているので、使用後の処理が容易である。
（３）薄様紙を使用しているので、安価に提供できる。
（４）薄布体からなる電解生成殺菌水含浸体を得ることがてきるので、医療機関等で使用できる。
（５）小さな形状に形成した場合には、携帯が可能となり、使用勝手がよくなる。
【図面の簡単な説明】
【図１】本発明の実施の形態に係る電解生成殺菌水含浸容器を示す斜視図である。
【図２】同電解生成殺菌水含浸容器を示す断面図である。
【図３】同電解生成殺菌水含浸容器の使用状態を説明するための図である。
【図４】同他の実施の形態に係る電解生成殺菌水含浸容器を示す斜視図である。
【図５】同他の実施の形態の係止状態を説明するための図である。
【符号の説明】
１，１ａ  電解生成殺菌水含浸容器
３  電解水供給箱
５  含浸体収納箱
３１  電解質収容部
３２  電源収容部
３３，３４  電解電極
３５  絶縁物
３６，５１  箱体
３７  電解質
３８  電解電源
５２  付勢機構
５３  テッシュペーパー
５４  スプリング性薄い板（弾性体）
５５  押圧板
７１，７３  かど
７２  蝶番
７４  係止機構
【図１】
0004473384.tif 000002
【図２】
0004473384.tif 000003
【図３】
0004473384.tif 000004
【図４】
0004473384.tif 000005
【図５】
0004473384.tif 000006